(57)【要約】      （修正有）【課題】衛生シートを１枚ずつ取出す安定性の向上を図るポーチを提供する。【解決手段】本体１０の小物収納空間Ｅｋ内に、本体１０を構成する一側壁と一側壁に対面する仕切壁２１とで共同して形成され複数枚の衛生シートＳが収納可能なシート収納空間Ｅｓを有するとともに衛生シートＳを出し入れ可能な出入口２２が形成された収納ポケット２０を設け、一側壁に衛生シートＳを外側から取出す取出口３１を有した取出口部３０を設け、取出口部３０を、取出口３１が形成された樹脂製の枠体３２と、枠体３２に設けられるとともに取出口３１に臨み衛生シートＳの取出時に衛生シートＳに抵抗を与えるための弾性変形可能な樹脂製の複数の舌片４０とを備えて構成した。【選択図】図１
0003221708.tif 000002
【実用新案登録請求の範囲】
【請求項１】
開閉可能な開口が設けられ内部に小物を収納可能な小物収納空間を有した本体を備え、前記本体の小物収納空間内に、前記本体を構成する一側壁と前記一側壁に対面する仕切壁とで共同して形成され複数枚の衛生シートが収納可能なシート収納空間を有するとともに前記衛生シートを出し入れ可能な出入口が形成された収納ポケットを設け、前記一側壁に、前記収納ポケットのシート収納空間内に収納された衛生シートを外側から取出す取出口を有した取出口部を設けたポーチにおいて、
前記取出口部を、前記取出口が形成された樹脂製の枠体と、前記枠体に設けられるとともに前記取出口に臨み前記衛生シートの取出時に前記衛生シートに抵抗を与えるための弾性変形可能な樹脂製の複数の舌片とを備えて構成したことを特徴とするポーチ。
【請求項２】
前記舌片を、前記取出口の互いに対向する一対の辺から、夫々、前記対向する辺に向けて重ならないように突設し、前記舌片間に、前記衛生シートが前記舌片に摺接して通過可能なスリットを形成したことを特徴とする請求項１記載のポーチ。
【請求項３】
前記舌片を、前記取出口の互いに対向する一対の辺から、夫々、前記対向する辺に向けてフォーク状に且つ重ならないように複数突設したことを特徴とする請求項２記載のポーチ。
【請求項４】
前記取出口内部に指が入る凹所が形成されるように前記舌片を設けたことを特徴とする請求項２または３記載のポーチ。
【請求項５】
前記収納ポケットを非通気性の樹脂で形成し、前記枠体に、一側縁が前記枠体に回動可能に樹脂ヒンジで一体に連設され前記取出口を開閉する樹脂製の蓋を設けたことを特徴とする請求項１乃至４何れかに記載のポーチ。
【請求項６】
前記枠体の取出口縁部及び前記取出口縁部に対応する前記蓋体の対応部位のいずれか一方に、前記取出口縁部に沿ったリング状の突条を設け、いずれか他方に前記突条が係合するリング状の係合凹部を設けたことを特徴とする請求項５記載のポーチ。
【請求項７】
前記収納ポケットの出入口を開閉可能にしたことを特徴とする請求項５または６記載のポーチ。
【請求項８】
上記仕切壁を、透明もしくは半透明の樹脂製のシート部材で形成したことを特徴とする請求項１乃至７何れかに記載のポーチ。
【考案の詳細な説明】
【技術分野】
【０００１】
本考案は、小物を入れるポーチに係り、特に、ウェットティッシュ，汗拭きシート，除菌シートやティッシュペーパ等の各種衛生シートを収納する収納ポケットを有したポーチに関する。
【背景技術】
【０００２】
従来、この種のポーチとしては、例えば、特許第３５３５５９３号公報（特許文献１）に掲載されたものが知られている。これは、開閉可能な開口が設けられ内部に小物を収納可能な小物収納空間を有した本体を備え、この本体の小物収納空間内に本体を構成する一側壁とこの一側壁に対面する仕切壁とで共同して形成され複数枚の衛生シートが収納可能なシート収納空間を有するとともに収納した衛生シートを出し入れ可能な出入口が形成された収納ポケットを設け、この本体の一側壁に、収納ポケットのシート収納空間内に収納された衛生シートを外側から取出す取出口を有した取出口部を設けて構成されている。取出口は、長円形の小窓あるいは可撓性の切れ目で構成されている。
【０００３】
衛生シートとしては、例えば、ウェットティッシュ，汗拭きシート，除菌シートやティッシュペーパ等の各種衛生シートを用いることができる。衛生シートとしては、これらが連続的に取出せるように折り重ねられて積層されて収納される所謂ポップアップ式という方式で周知の可撓性のケースに収納されているものを用いることができる。
【０００４】
そして、このポーチを用いるときは、本体の開口を開け、収納ポケットの出入口からシート収納空間に複数の衛生シートを入れる。衛生シートを収納したケースを用いるときは、ケースの取出開口を開けこの取出開口を収納ポケットの取出口に対面させておく。そして、本体の小物収納空間には小物を入れて使用し、必要時に、本体の取出口部の取出口から衛生シートを引き出して、例えば、手を拭くなどの用に供する。このため、例えば、小物として、筆記具や化粧品等を一緒に携帯した場合には、筆記具や化粧品などで汚れた際に即座に衛生シートで汚れを拭き取ることができ、きわめて便利になる。
【先行技術文献】
【特許文献】
【０００５】
【特許文献１】特許第３５３５５９３号公報
【考案の概要】
【考案が解決しようとする課題】
【０００６】
ところで、上記従来のポーチにあっては、収納ポケットの取出口は、長円形の小窓あるいは可撓性の切れ目で構成されているので、小窓の場合には衛生シートを押さえるものがなく、可撓性の切れ目である場合には押さえが弱く、引出す際に、衛生シートが複数枚まとめて取出されることがあり、１枚ずつ取出す安定性に劣るという問題があった。特に、ポーチは、手で持ったり肩に下げたりしているときが多いので、その場合には、取出しにくく１枚ずつ取出す安定性が悪くなる。
【０００７】
本考案は上記の問題点に鑑みて為されたもので、衛生シートを１枚ずつ取出す安定性の向上を図ったポーチを提供することを目的とする。
【課題を解決するための手段】
【０００８】
このような目的を達成するための本考案のポーチは、請求項１の考案にあっては、開閉可能な開口が設けられ内部に小物を収納可能な小物収納空間を有した本体を備え、前記本体の小物収納空間内に、前記本体を構成する一側壁と前記一側壁に対面する仕切壁とで共同して形成され複数枚の衛生シートが収納可能なシート収納空間を有するとともに前記衛生シートを出し入れ可能な出入口が形成された収納ポケットを設け、前記一側壁に、前記収納ポケットのシート収納空間内に収納された衛生シートを外側から取出す取出口を有した取出口部を設けたポーチにおいて、
前記取出口部を、前記取出口が形成された樹脂製の枠体と、前記枠体に設けられるとともに前記取出口に臨み前記衛生シートの取出時に前記衛生シートに抵抗を与えるための弾性変形可能な樹脂製の複数の舌片とを備えて構成している。
【０００９】
これにより、このポーチを用いるときは、本体の開口を開け、収納ポケットの出入口からシート収納空間に複数の衛生シートを入れる。衛生シートを収納したケースを用いるときは、ケースの取出開口を開けこの取出開口を収納ポケットの取出口に対面させておく。そして、本体の小物収納空間には小物を入れて使用し、必要時に、本体の取出口部の取出口から衛生シートを引き出して、例えば、手を拭くなどの用に供する。このため、例えば、小物として、筆記具や化粧品等を一緒に携帯した場合には、筆記具や化粧品などで汚れた際に即座に衛生シートで汚れを拭き取ることができ、きわめて便利になる。
【００１０】
このポーチにおいて、本体の取出口部の取出口から衛生シートを引き出す際には、取出口部の枠体には、取出口に臨み衛生シートの取出時に衛生シートに抵抗を与えるための弾性変形可能な樹脂製の複数の舌片が設けられているので、衛生シートは、引き出される際に、舌片の弾性力により相対的に内側に押されるとともに、舌片と摩擦を生じるため、１枚ずつ切り離し易くなる。そのため、取出される衛生シートに引きずられてまとめて複数の衛生シートが取出される事態が抑制され、確実に１枚ずつ取出すことができるようになり、このため、衛生シートを１枚ずつ取出す安定性の向上を図ることができる。
【００１１】
また、請求項２の考案は、前記舌片を、前記取出口の互いに対向する一対の辺から、夫々、前記対向する辺に向けて重ならないように突設し、前記舌片間に、前記衛生シートが前記舌片に摺接して通過可能なスリットを形成した構成としている。
これにより、衛生シートは、引き出される際に舌片間のスリットを通過して舌片に摺接するので、引き出される衛生シートと舌片との間で生じる摩擦が増加し、１枚ずつ切り離し易くなり、衛生シートを１枚ずつ取出す安定性をより一層向上させることができる。
【００１２】
更に、請求項３の考案は、前記舌片を、前記取出口の互いに対向する一対の辺から、夫々、前記対向する辺に向けてフォーク状に且つ重ならないように複数突設した構成としている。
これにより、舌片をフォーク状に複数突設したので、引き出される衛生シートと舌片との間で生じる摩擦をより一層増加させることができる。
【００１３】
更にまた、請求項４の考案は、前記取出口内部に指が入る凹所が形成されるように前記舌片を設けた構成としている。
これにより、衛生シートが舌片の内部に入り込んでも、凹所から指を入れて衛生シートをつまみ出すことができるので、衛生シートを取出し易くすることができる。
【００１４】
また、請求項５の考案は、前記収納ポケットを非通気性の樹脂で形成し、前記枠体に、一側縁が前記枠体に回動可能に樹脂ヒンジで一体に連設され前記取出口を開閉する樹脂製の蓋を設けた構成としている。
これにより、衛生シートを使用しないときは、蓋で取出口を閉めておく。そのため、例えば、衛生シートが、ウェットティッシュのように、水分やアルコールを含んでいるような場合には、蒸発を抑制することができ、乾燥から保護することができる。
【００１５】
更に、請求項６の考案は、前記枠体の取出口縁部及び前記取出口縁部に対応する前記蓋体の対応部位のいずれか一方に、前記取出口縁部に沿ったリング状の突条を設け、いずれか他方に前記突条が係合するリング状の係合凹部を設けた構成としている。
これにより、蓋で取出口を閉めた際に、突条が係合凹部に係合するので、取出口を密閉することができ、蒸発を確実に抑制することができ、より一層乾燥から保護することができる。
【００１６】
更にまた、請求項７の考案は、前記収納ポケットの出入口を開閉可能にした構成としている。
これにより、本体の開口を開けたときでも、収納ポケットの出入口を閉めておくことができるので、本体の小物収納空間の内部からの蒸発も抑制することができ、より一層乾燥から保護することができる。
【００１７】
そしてまた、請求項８の考案は、上記仕切壁を、透明もしくは半透明の樹脂製のシート部材で形成した構成としている。
これにより、本体の開口を開けて、仕切壁を通して収納ポケットの内部を見ることができる。そのため、衛生シートが収納ポケット内に入っているか否かが分かるようになる。
【考案の効果】
【００１８】
本考案のポーチは、請求項１の考案にあっては、取出口部の枠体には、取出口に臨み衛生シートの取出時に衛生シートに抵抗を与えるための弾性変形可能な樹脂製の複数の舌片が設けられているので、本体の取出口部の取出口から衛生シートを引き出す際には、衛生シートは、舌片の弾性力により相対的に内側に押されるとともに、舌片と摩擦を生じるため、１枚ずつ切り離し易くなる。そのため、取出される衛生シートに引きずられてまとめて複数の衛生シートが取出される事態が抑制され、確実に１枚ずつ取出すことができるようになり、このため、衛生シートを１枚ずつ取出す安定性の向上を図ることができる。
【００１９】
また、請求項２の考案によれば、衛生シートは、引き出される際に舌片間のスリットを通過して舌片に摺接するので、引き出される衛生シートと舌片との間で生じる摩擦が増加し、１枚ずつ切り離し易くなり、衛生シートを１枚ずつ取出す安定性をより一層向上させることができる。
【００２０】
更に、請求項３の考案によれば、舌片をフォーク状に複数突設したので、引き出される衛生シートと舌片との間で生じる摩擦をより一層増加させることができる。
【００２１】
更にまた、請求項４の考案によれば、取出口内部に指が入る凹所を形成したので、衛生シートが舌片の内部に入り込んでも、凹所から指を入れて衛生シートをつまみ出すことができるので、衛生シートを取出し易くすることができる。
【００２２】
また、請求項５の考案によれば、取出口を開閉する樹脂製の蓋を設けたので、衛生シートを使用しないときは、蓋で取出口を閉めておくことができ、そのため、例えば、衛生シートが、ウェットティッシュのように、水分やアルコールを含んでいるような場合には、蒸発を抑制することができ、乾燥から保護することができる。
【００２３】
更に、請求項６の考案によれば、蓋で取出口を閉めた際に、突条が係合凹部に係合するので、取出口を密閉することができ、蒸発を確実に抑制することができ、より一層乾燥から保護することができる。
【００２４】
更にまた、請求項７の考案によれば、収納ポケットの出入口を開閉可能にしたので、本体の開口を開けたときでも、収納ポケットの出入口を閉めておくことができ、そのため、本体の小物収納空間の内部からの蒸発も抑制することができ、より一層乾燥から保護することができる。
【００２５】
そしてまた、請求項８の考案によれば、仕切壁を、透明もしくは半透明の樹脂製のシート部材で形成したので、本体の開口を開けて、仕切壁を通して収納ポケットの内部を見ることができる。そのため、衛生シートが収納ポケット内に入っているか否かが分かるようになる。
【図面の簡単な説明】
【００２６】
【図１】本考案に係るポーチの一実施形態において、蓋を開けて衛生シートを取出すときの状態を示す一部切欠き斜視図である。
【図２】本考案に係るポーチの一実施形態において、蓋を閉めたときの状態を示す斜視図である。
【図３】本考案に係るポーチの一実施形態において、その構造を示す横断面である。
【図４】本考案に係るポーチの一実施形態において、舌片の変形例を示す要部図（ａ）（ｂ）である。
【考案を実施するための形態】
【００２７】
以下、添付図面に基づいて、本考案の実施の形態に係るポーチについて詳細に説明する。
図１乃至図３に示すように、本考案の実施の形態に係るポーチＰは、開閉可能な開口１１が設けられ内部に小物を収納可能な小物収納空間Ｅｋを有した本体１０を備えている。本体１０は、非通気性の樹脂シートを袋状に縫合して形成され、開口１１にはこれを開閉可能にする周知のファスナ１２が設けられている。尚、本体１０の樹脂シート内面に、布などの裏地（図示せず）を設けて良い。
【００２８】
この本体１０の小物収納空間Ｅｋ内には、衛生シートＳの収納ポケット２０が設けられている。この収納ポケット２０は、本体１０を構成する一側壁１３と一側壁１３に対面する仕切壁２１とで共同して形成され、複数枚の衛生シートＳが収納可能なシート収納空間Ｅｓを有するとともに、衛生シートＳを出し入れ可能な出入口２２が形成されている。仕切壁２１は、透明もしくは半透明のＰＶＣ等の材料からなる非通気性の樹脂製のシート部材で形成されており、一側壁１３に対して膨出し、上側に出入口２２が形成されるように、上縁を除く周縁が一側壁１３に縫合されている。
【００２９】
収納ポケット２０の出入口２２は、開閉可能になっている。具体的には、一側壁１３の出入口２２の上部に、出入口２２を開閉する帯状で可撓性のカバー２３を設けている。カバー２３は、仕切壁２１と同じ材料で形成され、即ち、透明もしくは半透明のＰＶＣ等の材料からなる樹脂製のシート部材で形成されており、下端縁が仕切壁２１の外側上部に重なるように、上端縁が一側壁１３に縫合されている。また、カバー２３と仕切壁２１との重なる部位には、カバー２３で出入口２２を覆ったときにカバー２３を止める面ファスナ２４が設けられている。これにより、収納ポケット２０及びカバー２３は、非通気性の樹脂で形成されることになる。
【００３０】
また、本体１０の一側壁１３には、収納ポケット２０のシート収納空間Ｅｓ内に収納された衛生シートＳを外側から取出す取出口３１を有した取出口部３０が設けられている。詳しくは、取出口部３０は、取出口３１が形成された樹脂製の枠体３２と、枠体３２に設けられるとともに取出口３１に臨み衛生シートＳの取出時に衛生シートＳに抵抗を与えるための弾性変形可能な樹脂製の複数の舌片４０とを備えて構成されている。
【００３１】
枠体３２は、一側壁１３の外面に付設される矩形の表枠体３３と、一側壁１３の内面に付設される裏枠体３４とを備えて構成されている。表枠体３３は、取出口３１が形成されたベース板３５と、前記ベース板３５の外周縁に沿って突設された突堤３６とを備えている。この表枠体３３及び裏枠体３４は、一側壁１３を挾持し、裏枠体３４から突設され一側壁１３及び表枠体３３のベース板３５を貫通する樹脂製のピン３７で止着されている。
【００３２】
舌片４０は、取出口３１の互いに対向する上下一対の辺から、夫々、対向する辺に向けてフォーク状に且つ重ならないように複数突設されている。上辺から突設される舌片４０は取出口３１の中央部に一対並設され、下辺から突設される舌片４０は、上辺から突設される舌片４０と同形で対称になるように、取出口３１の中央部に一対並設されている。そして、上辺から突設される舌片４０の先端と下辺から突設される舌片４０の先端との間に、衛生シートＳが舌片４０に摺接して通過可能なスリット４１が形成されている。
【００３３】
また、舌片４０は、取出口３１の内部に指が入る凹所４２，４３，４４が形成されるように設けられている。実施の形態では、凹所４２，４３は、舌片４０の左右に設けられ、凹所４４は中央に設けられている。中央の凹所４４は、上辺から突設される一対の舌片４０間の間隔と、下辺から突設される一対の舌片４０間の間隔とを、指が通る間隔に設定することにより、形成されている。
【００３４】
更に、枠体３２には、一側縁が枠体３２の表枠体３３に回動可能に樹脂ヒンジ５１で一体に連設され、取出口３１を開閉する樹脂製の蓋５０が設けられている。蓋５０は閉時に突堤３６に嵌合する大きさに形成されている。樹脂ヒンジ５１は表枠体３３の上側に設けられ蓋５０を回動可能に支持している。また、表枠体３３の下側の突堤３６の中央は切欠かれており、この切り欠かれた部位に、蓋５０の閉時に蓋５０の下縁中央に突設したツマミ５２が臨み、ツマミ５２に設けたフック５３がベース板３５の下縁４５に係止して蓋５０をロックするように構成されている。フック５３は可撓性樹脂で形成され、ツマミ５２を持ち上げることで、ベース板３５下縁から外れ、ロック解除が行われる。
【００３５】
更にまた、枠体３２のベース板３５の取出口３１の縁部及びこの取出口３１の縁部に対応する蓋５０の対応部位のいずれか一方（実施の形態では蓋５０）に、取出口３１の縁部に沿ったリング状の突条５５が設けられ、いずれか他方（実施の形態ではベース板３５）に、突条５５が係合するリング状の係合凹部５６が設けられている。
【００３６】
本実施の形態に係るポーチＰの収納ポケット２０に装着される衛生シートＳとしては、例えば、ウェットティッシュ，汗拭きシート，除菌シートやティッシュペーパ等の各種衛生シートを用いることができる。衛生シートＳとしては、これらが連続的に取出せるように折り重ねられて積層されて収納される所謂ポップアップ式という方式で周知の可撓性のケースＳｃに収納されているものを用いることができる。
【００３７】
従って、実施の形態に係るポーチＰを用いるときは、予め、収納ポケット２０に衛生シートＳを入れておく。この場合、本体１０の開口１１を開け、カバー２３を開けて、収納ポケット２０の出入口２２からシート収納空間Ｅｓに複数の衛生シートＳを入れる。この場合、衛生シートＳを収納したケースＳｃを用いるときは、ケースＳｃの取出開口を開けこの取出開口を収納ポケット２０の取出口３１に対面させる。衛生シートＳを僅かに引き出して、舌片４０に係止しておくと良い。そして、カバー２３を閉じて収納ポケット２０の出入口２２を閉めておく。
【００３８】
そして、本体１０の小物収納空間Ｅｋには小物を入れて使用し、必要時に、本体１０の取出口部３０の取出口３１から衛生シートＳを引き出して、例えば、手を拭くなどの用に供する。小物として、筆記具や化粧品等を一緒に携帯した場合には、筆記具や化粧品などで汚れた際に即座に衛生シートＳで汚れを拭き取ることができ、きわめて便利になる。
【００３９】
詳しくは、この衛生シートＳの引き出しの際には、図１及び図３に示すように、蓋５０を開け、衛生シートＳを指で摘んで引き出す。この場合、衛生シートＳが舌片４０の内部に入り込んでも、凹所４２，４３，４４から指を入れて衛生シートＳをつまみ出すことができるので、衛生シートＳを取出し易くすることができる。また、取出口部３０の枠体３２には、取出口３１に臨み衛生シートＳの取出時に衛生シートＳに抵抗を与えるための弾性変形可能な樹脂製の複数の舌片４０が設けられているので、衛生シートＳは、引き出される際に、舌片４０の弾性力により相対的に内側に押されるとともに、舌片４０と摩擦を生じるため、１枚ずつ切り離し易くなる。そのため、取出される衛生シートＳに引きずられてまとめて複数の衛生シートＳが取出される事態が抑制され、確実に１枚ずつ取出すことができるようになり、このため、衛生シートＳを１枚ずつ取出す安定性の向上を図ることができる。
【００４０】
また、この場合、衛生シートＳは、引き出される際に舌片４０間のスリット４１を通過して舌片４０に摺接するので、引き出される衛生シートＳと舌片４０との間で生じる摩擦が増加し、１枚ずつ切り離し易くなり、衛生シートＳを１枚ずつ取出す安定性をより一層向上させることができる。更に、舌片４０をフォーク状に複数突設しているので、これにより引き出される衛生シートＳと舌片４０との間で生じる摩擦をより一層増加させることができる。
【００４１】
衛生シートＳを使用しないときは、図２に示すように、蓋５０で取出口３１を閉めておく。この場合、収納ポケット２０は非通気性の樹脂で形成され、収納ポケット２０の出入口２２もカバー２３で閉じられているので、例えば、衛生シートＳが、ウェットティッシュのように、水分やアルコールを含んでいるような場合には、蒸発を抑制することができ、乾燥から保護することができる。特に、蓋５０を閉じた状態では、突条５５が係合凹部５６に係合するので、取出口３１を密閉することができ、蒸発を確実に抑制することができ、より一層乾燥から保護することができる。また、収納ポケット２０の出入口２２もカバー２３で閉じられているので、本体１０の開口１１を開けたときでも、本体１０の小物収納空間Ｅｋの内部からの蒸発も抑制することができ、より一層乾燥から保護することができる。
【００４２】
そしてまた、仕切壁２１が、透明もしくは半透明の樹脂製のシート部材で形成されているので、本体１０の開口１１を開けて、仕切壁２１を通して収納ポケット２０の内部を見ることができる。そのため、衛生シートＳが収納ポケット２０内に入っているか否かが分かるようになる。
【００４３】
図４には、舌片４０の変形例を示す。図４（ａ）は、舌片４０を、くし歯状に設けたものである。図４（ｂ）は、取出口３１を塞ぐように、舌片４０を４つ突設し、中央に挿通孔４６を形成するとともに、隣接する舌片４０間にスリット４１を形成したものである。
【００４４】
尚、上記実施の形態にあって、舌片４０の形状，数，突設方向等は、上述したものに限定されるものではなく、適宜変更して差支えない。また、上記実施の形態では、衛生シートＳとしては、所謂ポップアップ式という方式で周知の可撓性のケースＳｃに収納されているものを用いた例で説明したが、必ずしもこれに限定されるものではなく、ケースＳｃを用いずに、衛生シートＳを直接収納ポケット２０に収納するようにしても良く、適宜変更して差支えない。また、収納ポケット２０の大きさも、適宜変更して差支えない。
【００４５】
また、上記実施の形態では、本体１０，仕切壁２１，カバー２３を可撓性の樹脂で形成したが、必ずしもこれに限定されるものではなく、硬質の樹脂や金属板で形成する等、適宜変更して差支えない。要するに、本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００４６】
Ｐ  ポーチ
Ｓ  衛生シート
Ｓｋ  ケース
Ｅｋ  小物収納空間
Ｅｓ  シート収納空間
１０  本体
１１  開口
１２  ファスナ
１３  一側壁
２０  収納ポケット
２１  仕切壁
２２  出入口
２３  カバー
２４  面ファスナ
３０  取出口部
３１  取出口
３２  枠体
３３  表枠体
３４  裏枠体
３５  ベース板
３６  突堤
３７  ピン
４０  舌片
４１  スリット
４２，４３，４４  凹所
４６  孔
５０  蓋
５１  樹脂ヒンジ
５２  ツマミ
５３  フック
５４  下縁
５５  突条
５６  係合凹部
【図１】
0003221708.tif 000003
【図２】
0003221708.tif 000004
【図３】
0003221708.tif 000005
【図４】
0003221708.tif 000006